(57)【要約】【課題】  医療安全の問題発見から改善までＰＤＣＡのサイクル構築を支援する。【解決手段】  入力データ管理の支援機能と研修機能を有し、コンピュータネットワークで接続されたサーバーである医療機関の管理者（医療安全対策室）のパソコン１と、クライアントである職員用のパソコン２間で、医療安全に関する情報を管理，運用する。入力データ管理の支援機能は、医療施設に発生したインシデントの入力を支援して管理する機能であり、研修機能は、職員の研修を支援し、研修結果を通じて、管理者に職員の医療に関する意識のレベル、知識のレベルを高め、医療機関のインシデント管理に反映して医療機関内でのインシデント、アクシデントの減少に寄与させる。【選択図】  図１
2007066155.tif 000002
【特許請求の範囲】
【請求項１】
入力データ管理の支援機能と研修機能を有し、コンピュータネットワークで接続されたサーバーである医療機関の管理者のパソコンと、クライアントである職員用のパソコン間で、医療安全に関する情報を管理，運用する医療安全集中管理システムであって、
入力データ管理の支援機能は、医療施設に発生したインシデントの入力を支援してインシデントデータを管理する機能であり、
研修機能は、職員の研修を支援し、研修結果を通じて、管理者に職員の医療に関する意識のレベル、知識のレベルを高め、医療機関のインシデントの管理に反映させて医療機関内でのインシデントの減少に寄与させることを特徴とする医療安全集中管理システム。
【請求項２】
入力データ管理の支援機能は、職員が報告するインシデントデータ、改善対策管理データ、アクシデント解決支援管理データ、患者様ご意見データの項目を予め記憶させた第１の記憶手段と、
第１の記憶手段の項目に基づいて、職員のパソコンで入力したインシデントデータ、改善対策管理データ、アクシデント解決支援管理データ、患者様ご意見データを、管理者のパソコンに記録する第２の記憶手段と、
前記第２の記録手段からインシデントの発生率を算出する第１の演算手段と、その演算結果を記録する手段とを有し、
研修機能は、第３の記憶手段と、教材及び問題作成手段と、配信手段と、採点手段と、採点記録手段とを有し、
第３の記憶手段は、職員の研修のための教材を記録した研修用資料データベースであり、
教材及び問題作成手段は、該研修用資料データベースに基づいて職員に対する教材及び問題を作成する手段であり、
配信手段は、ネットワークを通じて職員へ教材および問題を配信する手段であり、
採点手段は、配信された問題に対して職員が解答した問題を採点する手段であり、
採点記録手段は、職員ごとの答案の採点結果を記録する手段であることを特徴とする請求項１に記載の医療安全活動集中管理システム。
【請求項３】
前記研修機能は、教材及び問題作成手段を有し、
教材及び問題作成手段は、管理者が入力したテキストデータおよび他の書類から引用したテキストデータにイメージデータとして貼付けられた前記第１の演算手段の演算結果を統合して、職員の研修用教材とし、加えて、研修用資料データベースから、その教材に合った問題のデータをアトランダムに選択し、研修用教材に問題のデータを挿入するものであることを特徴とする請求項１に記載の医療安全活動集中管理システム。
【請求項４】
前記研修機能は、配信手段を有し、
配信手段は、予め登録されている職員の所属部署データを検出し、作成したいくつかの研修教材の中から、その職員の所属部署に適合した、研修用教材を抽出し、配信する手段であることを特徴とする請求項１に記載の医療安全活動集中管理システム。
【請求項５】
前記研修機能は、解答入力手段と、採点手段と、第３の記録手段とを有し、
解答入力手段は、問題の解答を入力装置を通じて入力する手段であり、
採点手段は、解答データと正解データを照合して職員が解答した答案を採点する手段であり、
第３の記録手段は、解答データと採点手段で採点した採点結果のデータとを記録する手段であることを特徴とする請求項１に記載の医療安全活動集中管理システム。
【請求項６】
入力データ管理の支援機能は、チェック手段を有し、
チェック手段は、前記入力データ管理の支援機能で入力された職員のデータをコンピュータネットワークを通じて管理者のパソコンで閲覧し、報告に不明確な部分があった場合には、ネットワークを通じて職員にデータの再提出を求める手段であることを特徴とする請求項１に記載の医療安全活動集中管理システム。
【請求項７】
前記入力データ管理の支援機能は、第１監視手段を有し、
第１監視手段は、職員にデータの再提出を求める際に、管理者が訂正を求めた日を記録し、職員が内容確認を行ったかの有無を算出する手段であることを特徴とする請求項１または６に記載の医療安全活動集中管理システム。
【請求項８】
前記入力データ管理の支援機能は、第２監視手段を有し、
第２監視手段は、前記入力データ管理の支援機能で入力された職員のデータから、報告のあった改善対策が解決か未解決かを検出する手段であることを特徴とする請求項１または６に記載の医療安全活動集中管理システム。
【請求項９】
前記入力データ管理の支援機能は、患者の相談内容，意見を記録する手段を有することを特徴とする請求項１に記載の医療安全活動集中管理システム。
【発明の詳細な説明】
【技術分野】
【０００１】
本発明は、医療機関の組織に法令で義務付けられた医療安全活動を総合的に管理し、問題発見から改善周知までＰ（Ｐｌａｎ／計画）・Ｄ（Ｄｏ／実施）・Ｃ（Ｃｈｅｃｋ／監視）・Ａ（Ａｃｔｉｏｎ／改善）のサイクル構築を支援する医療安全集中管理システムに関する。
【背景技術】
【０００２】
平成１４年に医療法施行規則の一部が改正され、医療機関における安全の確保の体制整備等を行う安全管理委員会の設置が義務づけられた。この規則には、重要な検討内容、患者への対応の報告、事故発生の場合の原因の分析、改善策の立案、実施、職員への報告、立案された改善策の実施状況の調査、見直し、さらに全職員を対象にした安全研修の年２回以上の実施などを含めた対応が規定されている。このような要請を受けて、リスク管理のために用いるシステムが開発され、実際に大学病院その他の医療機関において、医療機関内で過去に行った治療の経緯や治療中に発生したインシデント（ヒヤリ・ハット）や医療事故や医療ミスの記録をデータベース化し、そのデータベースに基づいてリスクを分析する手法が種々検討されている。
【０００３】
その手法として例えば特許文献１には、インシデントレポートにより報告された各インシデントについて、慣れに基づく行為に関するエラー、規則に基づく行為に関するエラーなどのエラー種別と、環境施設、作業環境、作業要因、個人要因などの直接誘因と、機関文化上の問題、医療情報管理上の問題、専門家文化上の問題、労務管理上の問題などの間接誘因とのそれぞれからそのインシデント発生に最も寄与した要因を抽出し、それらを関連付けた連関鎖を定義し、看護業務に関係なく連関鎖毎に出現率を計算し、その出現率を参考にして対応する優先順位を決めることで、その医療施設特有の組織文化やマネージメント上の問題を見つけ出し、それを解決する対応策を立案するシステムが紹介されている。
【０００４】
また、特許文献２には、電子カルテデータベースに格納された操作履歴から、インシデントに関わるイベントを抽出する関連イベント抽出部を具備し、関連イベント抽出部により抽出された時系列のイベントの情報から成るオート入力内容と、インシデント入出力部において関連イベント情報を手動で入力した教材入力内容とを、インシデントレポート生成記録部により合成してインシデントレポートを作成することで、本来客観的でなかったインシデントレポートの客観性を高め、病院のリスクを低減するシステムが紹介されている。
【０００５】
これらのシステムは、現場から報告されたインシデントのデータがそのまま使用される場合だけでなく、データを加工して２次情報として利用されることもあるが、いずれにしても従来は、現場からのインシデントの報告が主目的であると考えられ、医療現場からの報告に基づいてインシデントの要因を分析し、その対策を立案するという、Ｐ（Ｐｌａｎ／計画）・Ｄ（Ｄｏ／実施）までを実現するシステムにすぎない。つまり、従来のシステムは、病院の担当者である職員がデータを入力し、入力されたデータをデータベースに保存し、管理者が職員による入力データをもとに、過去に発生した事故やミスの出現率から、発生しやすい事故やミスの傾向を分析するレベルにとどまっていたのである。
【０００６】
さらに、一歩を進めて医療現場から収集されたインシデントデータをデータベースとして充実させ、集積されたデータの分析の手法を確立することは、医療安全管理の実現のために重要ではあるが、職員がインシデントデータとして入力する入力データが信頼性の高いもの、あるいは実情を正確に把握されたものでなければ、医療安全管理を有効に機能させることができない。ところが現状においては、大半のインシデントデータ作成のシステムが厚生労働省への報告書を効率よく作成するための側面を有しているため、どうしても入力するインシデントデータの項目はどのシステムでも似通ったものになってしまい、データ項目を工夫してデータの信頼性を高めるという方法はとりにくい。
【０００７】
となれば、次に考えられるのは、インシデントデータを作成する側の担当医や看護師を含めた職員の安全に対する意識のレベルを問題にしなければならない。担当医や看護師が医療安全管理の意識を強くもつほど、入力したデータの信頼性が高まるのは言うまでもない。職員の医療安全のための意識を高めるために病院の管理者として必要な対策は、担当医や看護師に対して医療安全管理に係る教育や研修の徹底を図り、医療現場の担当医や看護師の医療安全管理に対する意識を高め、事故発生を防止する能力、発生した事故に対する対応能力を高めることが重要である。
【０００８】
法令で義務付けられている安全研修は、専門家を講師に招き、受講者を一堂に集めて講義によって行われるのが通例である。しかし、現実問題として、同じ日の同じ時間に多数の職員を一同に集めることや、講義の内容を職員全員に一律に理解させることは必ずしも容易ではない。担当医や看護師は通常多忙であって、一定の時間に全員が常に研修に参加できるとは限らず、さらには職員の理解能力に差がある場合があるからである。このような事情に対応するため、例えば各職員に応じた研修メニューおよび教材を作成することになると、教育する側にとっても負担が大きい。
【０００９】
さらに、医療管理を安全に遂行するには、インシデントデータの分析だけで済まされない。第三者の監視も必要ではあるが、最も切実な問題を抱えているはずの患者の意見や要望を反映させることが何よりも重要視されなければならない。通常、医療機関では患者アドボカシー室などの相談室を設けて患者の相談や意見を受けているが、従来は患者の相談を担当者した職員が決められたフォームに相談内容を記入してファイルをしておくか、せいぜい直接の上司に報告するにとどまり、患者から寄せられた相談内容，意見がインシデントの減少に寄与する貴重なデータとして医療機関の安全管理に反映されず、ひいては患者に対するサービスの低下につながっていたのである。
【特許文献１】特開２００３−９１６００号公報
【特許文献２】特開２００４−３５５１６８号公報
【発明の開示】
【発明が解決しようとする課題】
【００１０】
解決しようとする問題点は、従来のシステムでは、管理者が職員による入力データをもとに、過去に発生した事故やミスの出現率から、発生しやすい事故やミスの傾向を分析するレベルにとどまり、医療安全管理に対する担当医や看護師の意識を高め、また、患者から寄せられた相談内容，意見が医療機関の安全管理に反映されることがなかった点である。
【課題を解決するための手段】
【００１１】
本発明は、インシデントデータの集計，分析のみならず、医療現場に従事する職員の医療安全管理に対する意識の向上をはかり、かつ、患者から寄せられる相談や意見を安全管理上のデータとしてとりいれた点を最も主要な特徴とする。
【発明の効果】
【００１２】
本発明のシステムは、医療機関の組織として法律で義務付けられた医療安全活動を総合的にマネージメントし、問題発見から改善周知までＰＤＣＡのサイクル構築を支援することができる。また、コンピュータネットワーク配信による医療安全研修を可能としたため、職員の研修、教育の徹底と医療機関の運営の一元化を図ることができる。さらに、患者の意見のデータをシステムに反映することにより、患者本位の問題解決の一環としてアドボガシー室との連携を深め、ユーザーフレンドリーの医療の実現を図ることができる。
【発明を実施するための最良の形態】
【００１３】
本発明は、入力データ管理の支援機能と研修機能を有し、コンピュータネットワークで接続されたサーバーである医療機関の管理者（医療安全対策室）のパソコンと、クライアントである職員用のパソコン間で、医療安全に関する情報を管理，運用する医療安全集中管理システムである。入力データ管理の支援機能は、医療施設に発生したインシデントの入力を支援してインシデントデータを管理する機能であり、研修機能は、職員の研修を支援し、研修結果を通じて、管理者に職員の医療に関する意識のレベル、知識のレベルを高め、医療機関のインシデントの管理に反映して医療機関内でのインシデントの減少に寄与させるものである。また、患者から寄せられた相談内容，意見が医療機関の安全管理に反映させるという目的を職員がネットワーク上で研修を行うためのコンテンツである教材を保存するための研修用資料データベース及び患者からの意見、要望などを患者に直に応対した職員がデータ化したものを保存する患者様ご意見データベースをインシデントデータベース、改善対策管理データベース、アクシデント解決支援管理データベースなどとともに管理者（医療安全対策室）側で一元的に集中管理することで実現した。
【実施例１】
【００１４】
図１は本発明による医療安全集中管理システムのハードウェア構成図である。管理者（医療安全対策室）のパソコン１と、医療現場の管理職、担当医，看護師、介護士らが使用する職員用のパソコン（管理職のパソコン２Ａ，職員のパソコン２，２・・・として区別する）とをコンピュータネットワークで接続する。ここでは医療現場の管理職のパソコン２Ａを職員用のパソコン２と同一視したが、この実施例では、一般職員が入力したインシデント報告は、一般職員のパソコンから、一旦管理職のパソコン２Ａに送信され、管理職のチェックを受けた後、管理者（医療安全対策室）のパソコン１に送信されコメントを得る手順になっている。もっとも、病院の規模、組織、その他の事情によっては、管理職のパソコンが管理者のパソコン１となりうる場合もある。また、職員用のパソコン２としては、各職員が専用のパソコンとして１台ずつ割り当てられていることが望ましいことではあるが、必ずしも全職員が１台ずつパソコンを保有している必要はなく、医療現場の科ごと、部屋ごと、グループごとに１台〜数台のパソコンを２人以上の職員が共用する場合もある。
【００１５】
図１において、管理者（医療安全対策室）のパソコン１はサーバとして機能し、主制御部３（以下ＣＰＵという）は、モニタに用いる表示装置４、キーボードやマウス等のポインティングデバイスからなる入力装置５、および各レポート及び検索結果を出力する出力装置６が接続されている。ＣＰＵ３、表示装置４、入力装置５、出力装置６は、管理者（医療安全対策室）のパソコン１も職員用のパソコン２も同様の構成であるのは云うまでもない。
【００１６】
ＣＰＵ３は，ＯＳ等の制御プログラム、医療安全集中管理システムの業務手順を規定したプログラム、および所要データを格納するための内部メモリを有している。ＣＰＵ３に接続された記憶装置７は、ハードディスクや光ディスクなどの記憶手段であり、第１の記憶手段としてマスタデータベースＭＤＢを有し、第２の記憶手段としてインシデントデータベースＩＤＢ，アクシデント解決支援管理データベースＡＤＢ，改善対策管理データベースＰＤＢ，患者様ご意見データベースＣＤＢ、第３の記憶手段として研修用資料データベースＳＤＢを有しており、他に掲示板用データベースＮＤＢ，人事データベースＨＤＢ、などを有している。
【００１７】
マスタデータベースＭＤＢは、画面を構成するテキスト、つまり、画面全体におけるメニュー、各入力画面における、項目名、選択肢のコード、また選択をするときに参照する文章のテキストなどをレコードとして記録しておくデータベースである。
【００１８】
インシデントデータベースＩＤＢは、患者の診察、手術を担当した担当医らが、インシデント（ヒヤリ・ハット）を入力したものを記録するものである。
改善対策管理データベースＰＤＢは、インシデントデータを入力した担当医が、インシデントを改善するための対策をレポートとしてまとめ、入力したものを記録するものである。
【００１９】
アクシデント解決支援管理データベースＡＤＢは実際に起こった事故、紛争をデータとして残し、記録するものである。
患者様ご意見データベースＣＤＢは、患者に関するカルテをデータ化したもののほか、患者の相談や意見をデータとして記録するものである。
【００２０】
研修用資料データベースＳＤＢは、職員の研修に使う教材のデータを登録すると共に、職員に対するテストの正解データおよび得点データと、テストを行うことにより得られる職員の解答データと採点結果のデータとを記録するものである
掲示板用データベースＮＤＢは、病院内で配信するニュースのデータおよび、掲示板に書きこまれる職員の意見のテキストを記録するものである。
人事データベースＨＤＢは、病院内の職員の所属部署やその他の個人情報を記録するものである。
【００２１】
このうち、日常、職員らが入力するデータは第２の記憶手段に関するものであり、この第２の記憶手段に記録されるデータを入力する際には、各パソコン（管理職のパソコン２Ａあるいは職員用のパソコン２）の表示装置４に表示されるメニュー画面を介して、医療安全対策室，管理職あるいは担当医、看護師、コメディカルら病院内の職員が入力装置５を扱ってデータを入力する。入力されたこれらのデータはサーバーである管理者（医療安全対策室）のパソコン１の記憶装置７に記憶される。
【００２２】
“医療安全集中管理システム”のメニューは大別すると管理者（医療安全対策室）のメニュー（図２参照）と管理職用，職員用のメニュー（図３参照）とに分けられる。以下に管理者（医療安全対策室）用のメニューの内容を図２に従って説明する。
【００２３】
（１）医療安全対策室用のメニュー（図２参照）
この実施例において、管理者（医療安全対策室）用のメニューＭ１には、主メニューとして以下の１２種類のメニューが用意されている。これらの主メニューは下位の階層にサブメニューを有している。
（主メニュー）
１）管理指針＆マニュアル
２）医療安全対策室の紹介
３）インシデント入力・管理
４）改善対策管理
５）統計分析・データ送信
６）安全ニュース作成
７）個別伝達を入力する
８）安全研修管理
９）患者様ご意見
１０）マスタ管理
１１）システム管理
１２）バックアップ
【００２４】
画面上で、主メニューの上には３つのボタンがあり、メニューとして「インシデント一般入力」、「インシデント転倒・転落用入力」、「インシデント検索」の３種類が設定されている。これらは副メニューである。副メニューのボタンには、主メニューあるいは、主メニューのサブメニューのうち、よく使うメニューを登録しておき、ボタンを押すだけで直接そのメニューにアクセスできるようになっている。
【００２５】
（２）管理職用，職員用のメニュー（図３参照）
この実施例において、管理職用，職員用のメニューＭ６には、主メニューとして以下の７種類のメニューが用意されている。
（主メニュー）
１）インシデント入力・検索をする
２）改善対策を入力・検索する
３）統計分析を見る
４）個別伝達を入力する
５）安全研修の状況確認と受講
６）患者様ご意見内容
７）パスワード変更
また、医療安全対策室用のメニューと同様に、副メニューとして「インシデント一般入力」「インシデント転倒・転落用入力」「インシデント検索」の３種類が設定されている。
【００２６】
図２（管理者（医療安全対策室）用）と図３（職員用）とのメニューの設定画面を比べると、画面の右半分には相違点はなく、画面左の「入力・検索・設定」メニューに違いを見ることができる。「インシデント一般入力」「インシデント転倒・転落用入力」はメニューの表記こそ同じであるが、医療安全対策室のメニューは、インシデントの入力、管理を行うサブメニューにつながるのに対し、職員用のメニューはインシデントの入力、検索を行うサブメニューにつながっている点が異なっている。
【００２７】
次に、担当者（報告者）が職員として本発明のシステムを使い、インシデントを報告する場合の手順と、研修の手順を説明する。
手順は本システムの入力データ管理の支援機能を用いてデータを登録するレポート入力作業（その手順を１〜４に示す）と、本システムの研修機能を用いて、研修を行う作業（その手順を５〜９に示す）の２つに分かれる。なお、レポート入力作業が必ずしも研修を行う作業の前に行われるとは限らない。病院の仕事の都合によっては、順序が入れ替わる場合もある。
【００２８】
（ａ）入力データ管理の支援機能を用いてデータを登録するレポート入力作業
１．インシデントレポート入力
２．改善対策管理入力
３．アクシデント解決支援管理入力
４．患者様ご意見入力
（ｂ）研修を行う作業
５．統計分析機能
６．研修用教材作成
７．研修用教材配布
８．受講
９．採点
【００２９】
ここで、１．インシデントレポート入力は、担当者のインシデントデータを入力する作業であり、２．改善対策管理入力は医療安全のためになすべき事項や職員が報告するテーマを入力する作業である。３．アクシデント解決支援管理入力は医療紛争など外部との折衝の記録を入力する作業である。また、４．患者様ご意見入力は、患者の相談内容や意見を担当の職員がデータとしてまとめ、報告の記録として入力する作業である。５．統計分析機能は今回入力したおよび過去に記録されたインシデントデータを集計し、グラフ化するものである。ここで作られたグラフは、６．研修用教材作成の際、本発明の教材及び問題作成手段を用いて、他のテキストと組み合わせて教材が作成される。７．研修用教材配布は、管理者（医療安全対策室）のパソコンから、ネットワークを通じて職員用のパソコンに配布する作業である。８．受講は職員が職員用のパソコンの画面を通じて、研修を受けるものであり、９．採点は職員に行ったテストの採点をする作業である。
まず、（ａ）入力データ管理の支援機能を用いてデータを登録するレポート入力作業の流れについて説明する。
【００３０】
（ａ）入力データ管理の支援機能
（１）レポート入力作業
図７は、１．インシデントレポート入力、で入力したデータが、職員用のパソコン２から管理者（医療安全対策室）のパソコン１にどのような流れで登録されるかを示すフローチャートである。ここではインシデントレポート入力として説明するが、改善対策管理入力、患者様ご意見入力でも作業の流れは同じである。まず、報告者が全てのインシデントデータを入力し終わると（ステップＳ１）、入力した報告内容のデータは管理職のパソコン２Ａへ送信され、管理職は送られてきたデータの内容をチェックする（ステップＳ２）。報告内容に問題があれば、意見欄に意見を入力し（ステップＳ３）、報告内容のデータとともに管理者（医療安全対策室）のパソコン１に送信する。報告内容に問題がなければ、報告内容のデータをそのまま管理者（医療安全対策室）のパソコン１に送信する。次に管理者（医療安全対策室）は送られてきたデータの内容をチェックする（ステップＳ４）。報告内容に問題があれば、意見欄に意見を入力する（ステップＳ５）。
【００３１】
管理職、管理者（医療安全対策室）のいずれかが、インシデントの報告内容に問題ありとみなした場合つまり、意見欄に意見が入力された場合には、データを一旦保存する（ステップＳ６）。このときデータを保存するのは、意見が入力されたデータを報告者に送信するためと、報告内容の履歴をサーバーに記録しておくためである。その後報告者にデータの訂正を依頼する（ステップＳ７）。意見欄に管理職、医療安全対策室のいずれの意見もない場合には、報告内容を最終的なインシデントレポートとして、インシデントデータベースに登録する（ステップＳ８）。
【００３２】
次に具体例として、図示された画面を参照してインシデントレポート入力の要領を説明する。
１．インシデントレポート入力
報告者が管理者（医療安全対策室）の場合は自分のパソコンの表示装置に表示された図２に示す管理者（医療安全対策室）用のメニューＭ１から「インシデント入力・管理」−「一般入力（図示略）」を選択する。また、報告者が職員（担当医，看護師）の場合は、自分のパソコンの表示装置に表示された図３に示す職員用メニューＭ６から「インシデント入力・検索をする」−「一般入力（図示略）」を選択する。
【００３３】
それぞれのメニューが選択されると、図９の「インシデント入力（基本項目）一般」の入力項目の最初のページが表示される。図９において、インシデント入力は、「基本項目」、「発生場面」、「発生内容」、「発生要因」、「記述項目」、「まとめ」の各項目（以下、大項目という）で構成されている。これらの大項目はボタンＢ１で選定され、各大項目の切り替えは、ボタンＢ１をクリックすることで行われる。
各大項目の下には中項目がある。図９では画面上で「基本項目」の直下には「１．事象レベル」、「２．報告者、発生日時と場所」、「３．発見者と患者の属性と状態」、「４．当事者の属性」などの中項目を示したボタンＢ２が横一列に配置されており、中項目の切り替えは、この中項目ボタンＢ２を選択的にクリックすることによって行われる。
【００３４】
図９において、職員は報告者として、まず中項目「１．事象レベル」の入力を行う。中項目「１．事象レベル」を構成する項目は「１．事象レベル」、「２．種別」らの小項目である。小項目は報告者が選択をする基準となる文章あるいは単語らのテキストＴ１と、選択するための入力用のボックスＢ３とから構成されている。大抵の項目はチェックボックスＢ３をマウスでクリックして、チェックボックスＢ３に印をつけることでデータの入力が行える。
【００３５】
報告者は、「１．事象レベル」の下には、選択項目として、「０」〜「５」の項目に分類され、例えば、「０  エラーや医薬品・医療器具の不具合が見られたが患者には実施されなかった」その下位の選択肢として「０．０１  仮に実施されていても、患者への影響は小さかった（処理不要）と考えられる」「０．０２  仮に実施されていた場合、患者への影響は中等度（処理が必要）と考えられる」、があり、「１実施されたが患者への実害はなかった」〜「５  死亡（元疾患の自然経過によるものを除く）」などの選択肢が用意されている。
【００３６】
０〜５に設定されたいくつかの選択項目の中から、該当する事項を選び、選択項目の左側に配置されているチェックボックスに印をつける。図９の例ではインデントだけでなく、アクシデントの選択項目も含まれており、図は白黒で表示してあるが、実際には、文字は黒文字と赤文字で区別されている。黒文字で書かれた０，０．０１，０．０２はインシデント項目であり、赤文字で書かれた１，２，３ａ，３ｂ，４ａ，４ｂ，５はアクシデント項目である。
【００３７】
次に「２．種別」の入力を行う。「インシデント」及び「アクシデント」の項目があるので、インシデントレポートがいずれであるかを、どちらかのチェックボックスに印をつけて選択する。中項目「１．事象レベル」の入力は以上で終わりである。次に、中項目ボタンＢ２「２．報告者、発生日時と場所」を押して、中項目「２．報告者、発生日時と場所」の入力を引き続き行う。
【００３８】
上記の要領で報告者は入力を行っていく。大抵の項目はチェックボックスＢ３に印をつけるだけで用が足りるが、図１０の「３．報告者」の欄のように文字を入力する項目や、「６．発生日時」の欄のように数字をリストで表示させて選択する項目もある。
大項目「基本項目」は図１０の「６．発生日時」の後は、「７発見者（インシデントを見つけた人）、「８．患者番号」「９．患者の性別」、「１０．患者の年齢」、「１１．患者の心身状態」、「１２．当事者職種（インデントの原因になった人の職種）」、「１３．当事者職種経験年数」、「１４．当事者の部署配属年数」、などの小項目が続いていく。全ての小項目を図４に示す。基本項目の各小項目で入力したデータは図４のようにＡ１（事象レベル）Ａ２（種別）…Ａ１４（当事者の部署、配属年数）の各ポインタに記録される。
【００３９】
大項目「基本項目」の全てを入力した後、前記と同じ要領で大項目「発生場面」、「発生内容」（具体例として図１１の画面参照）、「発生要因」、「記述項目」（具体例として図１２の画面参照）、「まとめ」の入力を行っていく。
「まとめ」意見欄は、報告者の報告をチェックするための欄であり、この実施例では＜連絡のメモ欄＞のほかに＜医療安全対策室＞＜管理職＞の欄があり、それぞれ管理者（医療安全対策室）や現場の管理職が入力を行うようになっている。報告者が入力を完了した時点で、入力データはネットワークを通じて管理者（医療安全対策室）のパソコン１で参照可能となる。
【００４０】
報告者のインシデント報告のデータは、図１３の「インシデント報告まとめ」欄に図４に示した規定の項目ごとに表示される。報告者の報告内容に不明瞭な箇所がある場合には、管理者（医療安全対策室）ないし管理職は、意見欄にコメントを入力する。管理者（医療安全対策室）は、「通知先変更」ボタンを押すことにより、報告者に対して入力内容を訂正するよう指示することができる。管理者（医療安全対策室）はインシデントの報告は見ることができるが、データの編集，訂正は入力した職員である本人のみが行えるようになっている。
管理者（医療安全対策室）は職員に入力内容を訂正するよう指示した場合は、第１の監視手段として、訂正を求めた日を記録し、訂正を求めた日から再報告期限日を演算し、再報告期限日までに報告がない場合には、職員に報告を求めることができる。報告がないものは、図２のメニューＭ５のインシデント欄に表示される。
【００４１】
職員の報告の内容に問題がなければ、完了ボタンを押して入力を完了し、確認済ボタンで入力内容を登録する。管理者（医療安全対策室）が管理者（医療安全対策室）のパソコン１上の画面上の登録ボタンを押した時点で、すべてのインシデントデータはインシデントデータベースとして管理者（医療安全対策室）のパソコン１の記憶装置７に登録される。
【００４２】
また、履歴ボタンを押すと、図１４の画面が現れ、報告の履歴を閲覧することができる。この例では、報告者による報告は第１版の日付だけであるが、管理者（医療安全対策室）ないし管理職からの訂正依頼があった場合などには、第２版，第３版が追加情報として訂正した日付と、訂正内容が記録される。
【００４３】
インシデントデータベースに登録されたインシデントデータは、図１５の「インシデント検索」画面で検索が行える。検索のためのキーは、キーワード，受理，完了，要注意，報告日付，事象レベル，閲覧レベル，所属部門，発生場所，発生場面，発生要因，当事者の職種，報告者，インシデント定義があり、閲覧者の選択した任意のキーで検索を行うことができる。検索によりリストアップされた結果は、ＣＳＶ出力ボタンにより表計算ソフトなどで編集可能なデータとして出力され、閲覧者のパソコンに保存される。
【００４４】
２．改善対策管理入力
医療安全のためになすべき事項や職員が報告するテーマを管理するメニューである。具体例として、図示された画面を参照して改善対策管理入力の要領を説明する。入力する項目は図２０に示すように、１．所属、２報告者、３リーダー、４．関連部署、５．改善対策のテーマ、６．現状の主な問題点、７．主な要因、８．対策（具体的に）（Ｎｏ、対策内容、完了実施日、完了期限、完了）、９．実現に要する費用、１０．協力していただいた部署、メンバー、１１．実現した場合の効果、１２．備考である。
【００４５】
各項目で入力したデータは図５のようにポインタＧ１，Ｇ２…Ｇ１１の順で各ポインタに記録される。他には意見欄が設けられており、報告者の報告をチェックするための欄であり、管理者（医療安全対策室）と管理職が入力を行うようになっている。また、図２０の画面の下側には「検討図へ」ボタンがあり、図１９の改善対策検討図へリンクされている。改善対策検討図では、５．統計分析機能を使って分析した結果のデータと、改善対策入力画面で入力されたデータをもとに、各項目にデータを入力する。項目としては、事例、分析日、参照インシデント番号、問題点、背景要因、対策、誰が、費用、人材、時間、場所、効果、倫理、採否などがある。採否については入力時点では決定されていないので、空欄となる。
【００４６】
報告者の報告内容に不明瞭な箇所がある場合には、インシデント入力の時と同様に管理者（医療安全対策室）ないし管理職は、意見欄にコメントを入力する。管理者（医療安全対策室）は、報告者に入力内容を訂正するよう、指示することができる。報告の内容に問題がなければ、完了ボタンを押して入力を完了し、登録ボタンで入力内容を登録する。管理者（医療安全対策室）が登録ボタンを押した時点で、医療安全改善対策データは改善対策管理データベースに登録される。
【００４７】
データ登録後は、図２１の検索画面により、入力済データの検索を行うことができる。検索はキーワードによる検索のほか、所属、報告者氏名、報告日、完了期限、状態などをキーにした検索も可能である。検索によりリストアップされた結果は、ＣＳＶ出力ボタンにより表計算ソフトなどで編集可能なデータとして出力され、閲覧者のパソコンに保存される。
【００４８】
３．アクシデント解決支援管理入力
具体例として、図示された画面を参照してアクシデント解決支援管理入力の要領を説明する。アクシデント解決支援管理入力は、図２２，２３に示すように、「医療紛争・事故基本情報Ｎｏ１」、「紛争・事故基本情報Ｎｏ２」、「詳細調査・保険会社報告Ｎｏ３」、「治療経過」、「連絡報と院内委員会準備」、「外部調査委員会の設置と対応」、「各機関への事故の届け出確認表」、「記者会見対応」などの中項目を示した長方形のボタンが横一列に配置されており、中項目の切り替えは、この中項目ボタンをクリックすることによって行う。
報告者は、まず中項目「医療紛争・事故基本情報Ｎｏ１」の入力を行う。中項目「医療紛争・事故基本情報Ｎｏ１」を構成する項目は「１  第一報報告者」、「２  受け担当者」、「３  通知先」、「４  基本情報Ｎｏ１」、「５  患者側の申立て内容」、「６  申立てへの見解・対応方針」、「７  交渉の状況」、「８  解決内容」らの小項目である。小項目は入力用のボックスから構成されている。画面右上には「未決」「終結」ボタンがあり、報告した案件について、患者との紛争あるいは、事故が解決していないときは、「未決」ボタンを押し「登録」ボタンでデータの登録を行う。解決しているときには、「終結」ボタンを押し「登録」ボタンでデータの登録を行う。
【００４９】
処理の手順は、図８のフローチャートのとおりである。まず上記中項目の「医療紛争・事故基本情報Ｎｏ１」のデータの入力を行う（ステップＳ９）。入力した事項の問題が未解決の場合は未結データとして（ステップＳ１６）、また、解決済みの場合は終結データとして（ステップＳ１７）分類し、データをアクシデント解決支援管理データベースに登録する。
【００５０】
次に中項目「紛争・事故基本情報Ｎｏ２」のデータの入力を行い（ステップＳ１０）、入力が終了した後、ステップＳ１６あるいは、ステップＳ１７の処理を経て、「詳細調査・保険会社報告Ｎｏ３」（ステップＳ１１）、「連絡報と院内委員会準備」（ステップＳ１２）、「外部調査委員会の設置と対応」（ステップＳ１３）、「各機関への事故の届け出確認表」（ステップＳ１４）、「記者会見対応」（ステップＳ１５）のデータの入力へと続いていく。ステップＳ１２からステップＳ１５の各手続も、もちろんステップＳ１６あるいは、ステップＳ１７の未決，解決の区別の処理を経る。全てのデータの入力が完了したら、処理を終了する。
【００５１】
アクシデント解決支援管理入力で入力する項目は図６のとおりである。各項目で入力したデータは図６のようにポインタＩ１，Ｉ２…Ｐ４の順で各ポインタに記録される。
【００５２】
「未決」の状態で登録された案件データは、問題が解決するまで、図３の報告者の端末のメニュー画面のメニューＭ１０に表示されつづけ、消えることはない。
【００５３】
問題が解決した際には、報告者は図２４の「治療経過」画面から該当する案件を選び、「終結」ボタンを押し、「登録」ボタンで改めてデータの登録を行う。
【００５４】
４．患者様ご意見入力
通常は１のインシデントレポート入力だけでも、医療安全管理のデータとしては十分な場合もあるが、大抵はインシデント以外の問題もある。
病院の設備などへの不満、検査等への不満、治療費に係る不満、看護婦の対応に対する不満、などといった問題はインシデントレポート入力のデータには現れない部分であるが、実はこれらの問題は患者にとって医療の満足度にとって重要な問題であることが多い。
【００５５】
患者様ご意見入力機能はこのような患者の相談内容、や要望、意見（患者様ご意見という）を担当の職員がデータとしてまとめ、報告するものである。具体例として、図示された画面を参照して患者様の声入力の要領を説明する。図２５において、患者様ご意見として入力する項目は次のとおりである。１報告者所属氏名，２発生年月日，３情報の種類，４タイトル，５内容，６対応方法，７実現に要する費用，８実現の場合のメリット、である。意見欄が設けられている点は、上記のインシデント入力，改善対策管理，アクシデント解決支援管理と同様である。
【００５６】
入力が終わったデータは、＜管理者＞（医療安全対策室）のチェックを経て、患者様ご意見データベースに登録される。患者様ご意見データベースに登録されたデータはメニュー画面で管理者（医療安全対策室）のパソコン１では「患者様ご意見」、職員用のパソコン２では「患者様ご意見内容」のフォルダを選択し、サブメニューの「検索」（ここでは図示しない）を選び図２６の患者様ご意見の検索画面にアクセスすることで検索が可能となる。
【００５７】
図２６の画面では、職員が入力した項目のうち、発生日，所属部署，情報の種類，タイトル，完了の項目のデータがリスト表示される。検索はキーワード，所属部署，情報の種類，発生日付，完了（未完了）をキーとしてデータをリストアップすることができる。ここでいう完了（未完了）とは、患者に対する対応が済んでいるかいないかということである。検索によりリストアップされた結果は、ＣＳＶ出力ボタンにより表計算ソフトなどで編集可能なデータとして出力され、閲覧者のパソコンに保存される。
【００５８】
本発明の第２の監視手段として、未報告のインシデント、未解決の改善対策、未完了の患者に対する対応などの情報は、図２，図３のメニュー画面に表示される。管理者（医療安全対策室）のパソコン１には図２のメニューＭ５のように「インシデント」，「患者様の声」，「改善対策」，「解決支援」の項目を選択するためのタグがあり、タグを押すことによって、それぞれの未報告ないし未解決、未完了の情報がリスト表示される。
【００５９】
一方、職員用のパソコン２は図３のメニューＭ１０のように「要回答」，「インシデント」，「患者様の声」，「改善対策」のタグで構成されている。「要回答」は職員が管理者（医療安全対策室）あるいは管理職から報告の訂正を求められた案件であり、職員が報告を済ませない限り表示されつづけるため、職員は自分の報告の状況を常に把握できる。
【００６０】
Ｂ．研修機能
研修機能は、研修結果を通じて、管理者に職員の医療に関する意識のレベル、知識のレベルを高め、入力データ管理の支援機能に反映して医療機関内でのインシデント、アクシデントの減少に寄与させる上に重要な役割を果たす。研修機能が第３の記憶手段として備える研修用データベースには、研修に使用する教材のデータや、講義に関する問題のテキストデータおよび、問題の正解データ、職員の解答に係るデータを保存する。
【００６１】
以下に研修機能の各手段について説明する。
具体例として、まだ新人である看護師（以下新人看護師という）が本発明のシステムを用いて研修を受ける場合の例を挙げて説明する。
【００６２】
５．  統計分析機能（インシデント入力の分析）
管理者（医療安全対策室）のパソコン１のプログラムは統計分析機能を有する。管理者（医療安全対策室）はインシデントデータの統計分析を行いたい場合には、図２のメニューＭ１から「統計分析・データ送信」のサブメニューの「インシデント統計分析」（図示されていないので仮の名として設定）を選択する。
【００６３】
インシデントデータの統計分析画面を図１６〜図１８に示す。図１６の分析リストＬ１は統計の対象となる発生月，発生曜日…で構成され、それぞれ、図１６中に示した「図２−１：発生月」〜「図２−１２：発生要因」の要領で、グラフのテンプレートが用意され、統計内容を図示し、あるいはグラフに表示することができる。ここで例えば問題が起こった発生時間帯の傾向を知りたい場合、まず、範囲を指定するため、リストＬ２の報告日，定義，ボタン，大分類，中分類らのポップアップメニューから指定したい範囲のものを選択する。次にリストＬ１から「図２−３．発生時間帯」を選択する。この時点で管理者（医療安全対策室）のパソコン１のプログラムは、インシデントデータベースから、各データの発生時間を参照し、該当する時間帯に加算する処理を行い、各時間ごとの合計を算出し、結果を図１７の発生時間帯の分析画面に表示する処理を行う。図１８はリストＬ１から「図２−１２．発生要因」の統計結果の例を示した図である。
【００６４】
統計結果を保存したいときは、図１６の「新規登録」ボタンを押すと、管理者（医療安全対策室）の改善対策管理データベースに保存される。保存した統計結果のデータは厚生労働省への報告内容の資料となるほか、職員の研修に用いるデータとして利用できる。
【００６５】
６．研修用教材作成
管理者（医療安全対策室）は教材を作成する際、図２のメニュー画面にアクセスし、メニューＭ１の「安全研修管理」から教材の作成を行う。
図２７は本システムにおける教材作成および配信のイメージを表した図である。研修用教材の作成手順は、管理者が管理者（医療安全対策室）のパソコン１上で、テーマに沿ってテキストデータＴ２を入力するか、あるいは他の機関たとえば厚生労働省から提供されたマニュアル類を使用する。必要があれば、前記マニュアルに加え、後述する本システムで演算された統計結果をイメージデータＴ３として貼付けて統合したデータを、職員の研修用教材として作成する。
【００６６】
さらに、研修用教材には、教材の内容についての理解度を試すための試験問題が含まれる。試験問題内容に関しては、研修用データベースに複数個記録されている出題の文章であるテキストデータの中から、教材の中から出題する問題をアトランダムに選択すると、選択された出題のデータは、研修用教材の最後の部分に文章として自動的に挿入される。出題の文章の後には、解答を記録するための記録欄を設け、出題のテキストデータと解答の記録欄で問題のデータＴ４として構成される。テキストデータＴ２、イメージデータＴ３、問題のデータＴ４を１つの教材のファイルＦとして統合する。最後に、教材がどの所属部門で使用されるかを分別するための検索用のキーとして、受講対象の所属部門のコード情報を教材のファイルＦに記録させる。所属部門のコードを記録する手段はファイル名に所属部門のコードを含める方法、又は教材の中にコードを入力する方法などが用いられる。
【００６７】
７．研修用教材配布
研修用教材配布は、本発明の配信手段により教材に記録された受講対象の所属部門のコード情報に基づいて、医療安全研修を受ける職員に適切な教材を分別する。各医療安全研修メニューの対象者は様々である。病院の職員全員が対象の研修メニューもあれば、各専門職の研修メニューもあり、あるいは、所属部署ごとに違う研修メニューが提供される場合もある。例えば、全員対象研修メニューとして、「クレームの原因と対応」、「原因の科学的分析と対策の立て方」、「医療と法（基礎編）」「医療と法（医療事故と責任）」「医薬品の使用に関する安全」「医療機器の使用に関する安全」等々という具合である。
【００６８】
それぞれの研修メニューのために教材が作成され、各教材には受講対象となる所属部門のコード情報が記録されている。ただし職員全員が対象の研修メニューの教材については、所属部門のコードとは別に、職員全員を示すコードを設定し、このコードを教材に記録する。今回の新人看護師の例では、職員全員が対象の研修メニューである「医療と法（基礎編）」を受講するものとし、研修用データベースに登録されている教材はまだ「医療と法（基礎編）」だけということで話を進める。配信手段は、新人看護師が職員用のパソコン２にアクセスした時点で、新人看護師の所属部門のコードを参照する。職員の所属部門およびその他の情報は予め人事データベースに登録されている。
【００６９】
この後、６．研修用教材作成で作成された教材に記録された所属部門のコードを参照する。教材「医療と法（基礎編）」には職員全員を示すコード、（ここでは００００とする）が記録されている。コード００００の場合には、約束事として職員の所属部門に関係なく教材を配信することを、配信手段のプログラム中で定義しておく。今回の例では新人看護師が自分のＩＤとパスワードをもって職員用のパソコン２にアクセスした時点で、教材「医療と法（基礎編）」を管理者（医療安全対策室）のパソコン１からネットワークを通じて職員用のパソコン２に配信する。
【００７０】
もし、受講するメニューが各専門職の研修メニューであれば、配信手段は、職員用のパソコン２にアクセスした新人看護師の所属部門のコードを参照したうえで、新人看護師の所属部署に合致した、コードの研修用教材を選択する。選択された教材は管理者（医療安全対策室）のパソコン１からネットワークを通じて職員用のパソコン２に配信する。
【００７１】
８．受講
新人看護師は配布された教材をもとに研修を受ける。まず、研修を受けるため、新人看護師は、職員用のパソコン２を起動し、自分に与えられた個人用のＩＤとパスワードを入力し、図３のメニュー画面にアクセスする。研修に関するメニューは、メニューＭ９の「職員別医療安全研修メニュー」であり、このボックス内に研修用の教材が配布される。図３の例では、「医療と法（基礎編）」という教材が表示されている。この教材は、管理者（医療安全対策室）１で作成されたものを、職員用のパソコン２に転送したものである。転送方法はＬＡＮなどのネットワークを通じて行う。この実施例においては、セキュリティの関係上、ＷＥＢサイトなどの利用はしない。
【００７２】
新人看護師は図３のメニューＭ６の「安全研修の状況確認と受講」メニューで自分の学習の進行状況を確認する。（このメニューでは過去に受講したコンテンツメニューと、今回受講するコンテンツメニューが表示される。新たなメニューを受講する場合は、そのコンテンツメニューを選択し、「受講」ボタンを押す。）職員が受講する教材は、「職員別医療安全研修メニュー」（Ｍ９）に表示される。図２９（ａ），（ｂ）は実際の研修の画面の例を示す図である。図２９（ａ），（ｂ）の画面を見ながら新人看護師は教材のテキストを参照する。このとき音声で画面のテキストを読み上げる機能を持たせるようにしてもよい。新人看護師は教材を読み終わった後は、どのくらい理解したかを確かめるテストを行う。図２７のように教材の最後に問題のデータＴ４が添付されているので解答を入力する。問題の出題形式は図２８のＱ１〜Ｑ６のように選択式である。解答の入力はキーボードなどの入力装置５から解答をタイプ入力する方法を用いるが、解答は選択式であるため、表示装置４にペン入力可能な入力装置５などを使う方法を用いても良い。
【００７３】
入力した解答は、解答データＡ１〜Ａ６に記録され、すべての解答が済むと、解答データはネットワークを通じて職員用のパソコン２から管理者（医療安全対策室）のパソコン１に送信され、研修用データベースに記録される。
９．採点
採点は、本発明の採点手段により、図２８のように研修用データベース内に記録された解答データａ１〜ａ６の解答の数字と予め登録された正解データＡＡ１〜ＡＡ６の正解の数字と比較することで採点される。図の例では、解答データａ１の答えは１であり、正解データＡＡ１の正解は１で、数字が同じであるので正解と判断される。得点の算出をするための得点算出ポインタｐ１〜ｐ６が設けられており、正解の場合は１が、不正解の場合には０が得点算出ポインタに記録される。また各出題にはそれぞれ難易度に応じた得点のデータＰＰ１〜ＰＰ６が与えられており、正解したａ１には得点算出ポインタｐ１×得点データＰＰ１＝１０の得点１０が与えられ職員の採点結果データ０００５Ｋ１に得点が記録される。
【００７４】
解答データ、得点算出ポインタ、職員の採点結果データ、などのデータは受講者の情報として第３の記録手段である研修用資料データベースに記録される。管理者（医療安全対策室）のパソコン１では受講者の学習状況を管理し、結果の思わしくない受講者には、メニューＭ３の個別通信などから再度受講をするよう指示することができる。研修機能は、上記のように職員の研修を支援し、職員の医療安全に関する意識のレベル、知識のレベルを高め、職員の研修成果を医療機関のインシデントの管理に反映させて医療機関内でのインシデントの減少に寄与させるものであるが、併せて担当医や看護師に対して医療安全管理に係る教育や研修の徹底を図ることで、事故発生を防止する能力、発生した事故に対する対応能力を高め、その医療機関での医療安全管理のレベルを高め、患者に対してユーザフレンドリーの治療を実現する上に重要な役割を果たす。
【産業上の利用可能性】
【００７５】
本発明のシステムは、医療法施行規則で義務付けられたすべての項目をサポートするものであり、本発明のシステムを運用することによって医療機関における安全管理体制を確立し、職員の安全意識、医療技術を高め、患者の要望を取り入れて満足度の高い安心できる医療体制の実現を図ることができる。
【図面の簡単な説明】
【００７６】
【図１】本発明による医療安全集中管理システムのハードウェア構成図である。
【図２】管理者（医療安全対策室）のパソコンのメニュー画面を示す図である。
【図３】職員のパソコンのメニュー画面を示す図である。
【図４】インシデントデータベースの小項目を示す図である。
【図５】改善対策管理データベースの小項目を示す図である。
【図６】アクシデント解決支援管理データベースの小項目を示す図である。
【図７】データが登録されるまでの流れを示すフローチャートである。
【図８】アクシデント解決支援管理のデータが登録されるまでの流れを示すフローチャートである。
【図９】インシデント入力の基本項目を示す図である。
【図１０】インシデント入力の基本項目画面を示す図である。
【図１１】インシデント入力の基本項目画面を示す図である。
【図１２】インシデント入力の記述報告画面を示す図である。
【図１３】管理者（医療安全対策室）のパソコンのインシデント入力のまとめ画面を示す図である。
【図１４】管理者（医療安全対策室）のパソコンのインシデント入力の履歴画面を示す図である。
【図１５】インシデント検索画面を示す図である。
【図１６】インシデントデータの統計分析画面を示す図である。
【図１７】統計分析の例を示す図である。
【図１８】統計分析の例を示す図である。
【図１９】改善対策検討図画面を示す図である。
【図２０】改善対策入力画面を示す図である。
【図２１】改善対策検索画面を示す図である。
【図２２】アクシデント解決支援管理の基本情報画面を示す図である。
【図２３】アクシデント解決支援管理の基本情報画面を示す図である。
【図２４】アクシデント解決支援管理の治療経過画面を示す図である。
【図２５】患者様ご意見画面を示す図である。
【図２６】患者様ご意見の検索画面を示す図である。
【図２７】教材作成および配信のイメージを表した図である。
【図２８】採点の要領を示す図である。
【図２９】研修画面の例を示す図である。
【符号の説明】
【００７７】
１  管理者（医療安全対策室）のパソコン
２  職員（管理職，担当医，看護師）用のパソコン
３  ＣＰＵ
４  表示装置
５  入力装置
６  出力装置
７  記憶装置
Ｍ１〜Ｍ１０  メニュー
Ｂ１〜Ｂ３  ボタン
Ｔ１  テキスト
Ｔ２  テキストデータ
Ｔ３  イメージデータ、
Ｔ４  問題のデータ
Ｌ１〜Ｌ２  リスト
【図１】
2007066155.tif 000003
【図４】
2007066155.tif 000004
【図５】
2007066155.tif 000005
【図６】
2007066155.tif 000006
【図７】
2007066155.tif 000007
【図８】
2007066155.tif 000008
【図２８】
2007066155.tif 000009
【図２】
2007066155.tif 000010
【図３】
2007066155.tif 000011
【図９】
2007066155.tif 000012
【図１０】
2007066155.tif 000013
【図１１】
2007066155.tif 000014
【図１２】
2007066155.tif 000015
【図１３】
2007066155.tif 000016
【図１４】
2007066155.tif 000017
【図１５】
2007066155.tif 000018
【図１６】
2007066155.tif 000019
【図１７】
2007066155.tif 000020
【図１８】
2007066155.tif 000021
【図１９】
2007066155.tif 000022
【図２０】
2007066155.tif 000023
【図２１】
2007066155.tif 000024
【図２２】
2007066155.tif 000025
【図２３】
2007066155.tif 000026
【図２４】
2007066155.tif 000027
【図２５】
2007066155.tif 000028
【図２６】
2007066155.tif 000029
【図２７】
2007066155.tif 000030
【図２９】
2007066155.tif 000031
【手続補正書】
【提出日】平成17年9月1日(2005.9.1)
【手続補正１】
【補正対象書類名】特許請求の範囲
【補正対象項目名】全文
【補正方法】変更
【補正の内容】
【特許請求の範囲】
【請求項１】
入力データ管理の支援機能と研修機能を有し、コンピュータネットワークで接続されたサーバーである医療機関の管理者のパソコンと、クライアントである職員用のパソコン間で、医療安全に関する情報を管理，運用する医療安全集中管理システムであって、
入力データ管理の支援機能は、医療施設に発生したインシデントの入力を支援してインシデントデータを管理する機能であり、
研修機能は、職員の研修を支援し、研修結果を通じて、管理者に職員の医療に関する意識のレベル、知識のレベルを高め、医療機関のインシデントの管理に反映させて医療機関内でのインシデントの減少に寄与させることを特徴とする医療安全集中管理システム。
【請求項２】
入力データ管理の支援機能は、職員が報告するインシデントデータ、改善対策管理データ、アクシデント解決支援管理データ、患者様ご意見データの項目を予め記憶させた第１の記憶手段と、
第１の記憶手段の項目に基づいて、職員のパソコンで入力したインシデントデータ、改善対策管理データ、アクシデント解決支援管理データ、患者様ご意見データを、管理者のパソコンに記録する第２の記憶手段と、
前記第２の記録手段からインシデントの発生率を算出する第１の演算手段と、その演算結果を記録する手段とを有し、
研修機能は、第３の記憶手段と、教材及び問題作成手段と、配信手段と、採点手段と、採点記録手段とを有し、
第３の記憶手段は、職員の研修のための教材を記録した研修用資料データベースであり、
教材及び問題作成手段は、該研修用資料データベースに基づいて職員に対する教材及び問題を作成する手段であり、
配信手段は、ネットワークを通じて職員へ教材および問題を配信する手段であり、
採点手段は、配信された問題に対して職員が解答した問題を採点する手段であり、
採点記録手段は、職員ごとの答案の採点結果を記録する手段であることを特徴とする請求項１に記載の医療安全集中管理システム。
【請求項３】
前記研修機能は、教材及び問題作成手段を有し、
教材及び問題作成手段は、管理者が入力したテキストデータおよび他の書類から引用したテキストデータにイメージデータとして貼付けられた前記第１の演算手段の演算結果を統合して、職員の研修用教材とし、加えて、研修用資料データベースから、その教材に合った問題のデータをアトランダムに選択し、研修用教材に問題のデータを挿入するものであることを特徴とする請求項１に記載の医療安全集中管理システム。
【請求項４】
前記研修機能は、配信手段を有し、
配信手段は、予め登録されている職員の所属部署データを検出し、作成したいくつかの研修教材の中から、その職員の所属部署に適合した、研修用教材を抽出し、配信する手段であることを特徴とする請求項１に記載の医療安全集中管理システム。
【請求項５】
前記研修機能は、解答入力手段と、採点手段と、第３の記録手段とを有し、
解答入力手段は、問題の解答を入力装置を通じて入力する手段であり、
採点手段は、解答データと正解データを照合して職員が解答した答案を採点する手段であり、
第３の記録手段は、解答データと採点手段で採点した採点結果のデータとを記録する手段であることを特徴とする請求項１に記載の医療安全集中管理システム。
【請求項６】
入力データ管理の支援機能は、チェック手段を有し、
チェック手段は、前記入力データ管理の支援機能で入力された職員のデータをコンピュータネットワークを通じて管理者のパソコンで閲覧し、報告に不明確な部分があった場合には、ネットワークを通じて職員にデータの再提出を求める手段であることを特徴とする請求項１に記載の医療安全集中管理システム。
【請求項７】
前記入力データ管理の支援機能は、第１監視手段を有し、
第１監視手段は、職員にデータの再提出を求める際に、管理者が訂正を求めた日を記録し、職員が内容確認を行ったかの有無を算出する手段であることを特徴とする請求項１または６に記載の医療安全集中管理システム。
【請求項８】
前記入力データ管理の支援機能は、第２監視手段を有し、
第２監視手段は、前記入力データ管理の支援機能で入力された職員のデータから、報告のあった改善対策が解決か未解決かを検出する手段であることを特徴とする請求項１または６に記載の医療安全集中管理システム。
【請求項９】
前記入力データ管理の支援機能は、患者の相談内容，意見を記録する手段を有することを特徴とする請求項１に記載の医療安全集中管理システム。